(57)【特許請求の範囲】
【請求項１】
鉢面部と、前記鉢面部の下方に形成される溜水部と、を有する便鉢と、
前記溜水部の底部に形成される入口を通して該溜水部内に連通される排水路と、
前記鉢面部内に洗浄水を吐き出し、該鉢面部内で旋回する第１主流を形成する第１吐水部と、
前記溜水部に向けて洗浄水を吐き出し、前記鉢面部内から該溜水部に流入する第２主流を形成する第２吐水部と、を備え、
前記第１主流は、前記鉢面部内での旋回途中に第１分流と第２分流を形成し、前記第１分流は、前記鉢面部の後側領域まで旋回してから該鉢面部内で前記第２主流と合流し、前記第２分流は、前記鉢面部の前側領域から前記排水路の入口に向けて前記溜水部に流入し、前記溜水部内の第２主流と合流し、これらにより、前記第２主流の水勢を増幅させることを特徴とする水洗大便器。
【請求項２】
前記溜水部は、前記第２主流によって、前記排水路の入口に上から下に向かう誘導流を形成するように構成されることを特徴とする請求項１に記載の水洗大便器。
【請求項３】
前記第２主流は、前記溜水部の内周面に沿って流入することを特徴とする請求項１または２に記載の水洗大便器。
【請求項４】
鉢面部と、前記鉢面部の下方に形成される溜水部と、を有する便鉢と、
前記溜水部の底部に形成される入口を通して該溜水部内に連通される排水路と、
前記鉢面部内に洗浄水を吐き出し、該鉢面部内で旋回する第１主流を形成する第１吐水部と、
前記溜水部に向けて洗浄水を吐き出し、前記鉢面部内から該溜水部に流入する第２主流を形成する第２吐水部と、を備え、
前記第１主流が前記第２主流と合流することにより、前記第２主流の水勢を増幅させるように構成され、
前記第１吐水部と前記第２吐水部は、前記鉢面部に形成される単一の吐水孔であり、
前記吐水孔の上流側に設けられる通水部と、
前記通水部内に洗浄水を吐き出し、前記吐水孔に供給される第１内部主流を形成する第１吐出部と、
前記通水部内に洗浄水を吐き出し、前記吐水孔に供給される第２内部主流を形成する第２吐出部と、を備え、
前記吐水孔に供給される前記第１内部主流及び前記第２内部主流により前記第１主流及び前記第２主流が形成されることを特徴とする水洗大便器。
【請求項５】
前記第１吐水部と前記第２吐水部は、前記鉢面部に形成される単一の吐水孔であることを特徴とする請求項１から３のいずれかに記載の水洗大便器。
【請求項６】
前記吐水孔の上流側に設けられる通水部と、
前記通水部内に洗浄水を吐き出し、前記吐水孔に供給される第１内部主流を形成する第１吐出部と、
前記通水部内に洗浄水を吐き出し、前記吐水孔に供給される第２内部主流を形成する第２吐出部と、を備え、
前記吐水孔に供給される前記第１内部主流及び前記第２内部主流により前記第１主流及び前記第２主流が形成されることを特徴とする請求項５に記載の水洗大便器。
【請求項７】
前記吐水孔に前記第１内部主流が先に供給されることにより、前記第２主流より前記第１主流の流量が多くなるように第１主流及び第２主流が形成され、その後に前記吐水孔に前記第１内部主流及び前記第２内部主流が供給されることにより、前記第１主流より前記第２主流の流量が多くなるように第１主流及び第２主流が形成されることを特徴とする請求項４または６に記載の水洗大便器。
【請求項８】
前記通水部は、前記第１内部主流又は前記第２内部主流の何れか一方が衝突し、その衝突した内部主流を前記吐水孔に導く導水部を有することを特徴とする請求項４、６または７のいずれかに記載の水洗大便器。
【請求項９】
前記吐水孔は、前記便鉢内と前記通水部内を隔てる壁部に形成され、
前記導水部は、前記壁部により一部が形成されることを特徴とする請求項８に記載の水洗大便器。
【請求項１０】
前記第１内部主流及び前記第２内部主流は前記通水部内で合流した後に前記吐水孔から吐き出されることを特徴とする請求項４または請求項６から９のいずれかに記載の水洗大便器。
【請求項１１】
前記通水部の内壁面には、前記吐水孔に向かうにつれて該通水部の高さ寸法を狭めるように傾斜する誘導面が形成されることを特徴とする請求項４または請求項６から１０のいずれかに記載の水洗大便器。
【発明の詳細な説明】
【技術分野】
【０００１】
本発明は、水洗大便器に関する。
【背景技術】
【０００２】
従来より、トイレに設置される大便器に関して、汚物の排出性能を高めるための種々の検討がなされている。特許文献１には、汚物の排出性能を高めるため、洗浄水の流し方を工夫した大便器が提案されている。
【０００３】
詳細には、特許文献１の大便器では、便鉢の鉢面部の下方に溜水部が設けられ、溜水部の底部に排水路の入口が設けられる。鉢面部内には第１リム吐水部から鉢面部内を旋回する洗浄水が吐水され、その一部は鉢面部の前方から溜水部に流入する。また、鉢面部内には第２リム吐水部から鉢面部内を旋回する他の洗浄水が吐水され、その洗浄水は鉢面部の横方向から溜水部に流入する。これらにより、溜水部内の溜水を上下方向に攪拌し、汚物を溜水内に沈めて排水路内に効率よく排出できると記載されている。
【先行技術文献】
【特許文献】
【０００４】
【特許文献１】特許第５５５３１８８号
【発明の概要】
【発明が解決しようとする課題】
【０００５】
ところで、特許文献１の水洗大便器のように、各リム吐水部から吐水した洗浄水により鉢面部内を旋回する旋回流を形成する場合、水量を抑えつつ鉢面部内の広い範囲を洗浄できる利点があるものの、溜水部に流入する水流の水勢が弱くなるという問題点もある。つまり、特許文献１の水洗大便器では、第１リム吐水部、第２リム吐水部から鉢面部の立面部に沿うように洗浄水が吐水され、各洗浄水は鉢面部内を旋回してから溜水部に流入している。よって、各洗浄水は鉢面部内を旋回する過程で水勢が失われるうえ、鉢面部の立面部と当たることで勢いが失われてしまい、溜水部には水勢の弱い水流しか流入できなくなる。溜水部に流入する水流の水勢が弱いと、溜水部内の汚物を排水路に排出し難くなるため、その改善が求められる。
【０００６】
本発明は、このような課題に鑑みてなされ、その目的は、鉢面部内を旋回流により洗浄しつつ、汚物の排出能力を高められる水洗大便器を提供することにある。
【課題を解決するための手段】
【０００７】
上記課題を解決するために、本発明のある態様の水洗大便器は、鉢面部と、鉢面部の下方に形成される溜水部と、を有する便鉢と、溜水部の底部に形成される入口を通して溜水部内に連通される排水路と、鉢面部内に洗浄水を吐き出し、鉢面部内で旋回する第１主流を形成する第１吐水部と、溜水部に向けて洗浄水を吐き出し、鉢面部内から溜水部に流入する第２主流を形成する第２吐水部と、を備え、第１主流が第２主流と合流することにより、第２主流の水勢を増幅させるように構成される。
この態様によれば、吐水孔から溜水部に向けて吐き出される洗浄水により第２主流が形成されるため、溜水部以外に向けて洗浄水を吐き出すよりも、強い水勢の第２主流が溜水部内に流入できる。また、第１主流と第２主流との合流により第２主流の水勢を増幅させるため、更に強い水勢の第２主流が流入でき、溜水部内の汚物を排水路に排出させ易くなる。よって、鉢面部内を旋回する第１主流により鉢面部内を洗浄しつつ、汚物の排出能力を高められる。
【０００８】
前述の態様において、溜水部は、第２主流によって、排水路の入口に上から下に向かう誘導流を形成するように構成されてもよい。
この態様によれば、溜水部内に流入した強い水勢の第２主流により、強い水勢の誘導流を形成でき、その誘導流により溜水部内の汚物を排水路に勢いよく押し流せるようになり、汚物の排出能力を更に高められる。
【０００９】
前述の態様において、第２主流は、溜水部の内周面に沿って流入してもよい。
この態様によれば、第２主流は溜水部の内周面に沿ってスムーズに方向変換し易くなる。よって、第２主流の流入方向前方に位置する壁面に第２主流が衝突するときの勢いを水平方向に逃がし易くなり、鉢面部内への第２主流の乗り上げを防止できる。
【００１０】
前述の態様において、第１主流は、鉢面部内での旋回途中に第１分流と第２分流を形成し、第１分流は、鉢面部内を更に旋回してから鉢面部内で第２主流と合流し、第２分流は、溜水部内の第２主流と合流し、これらにより、第２主流の水勢を増幅させてもよい。
この態様によれば、鉢面部内の広い範囲を第１主流により洗浄しつつ、多くの第１主流を無駄にせずに第２主流の水勢を大きく増幅できる。
【００１１】
前述の態様において、第１吐水部と第２吐水部は、鉢面部に形成される単一の吐水孔であってもよい。
この態様によれば、洗浄水を吐き出して第１主流、第２主流を形成するうえで、別々の吐水孔を鉢面部に設けずともよくなり、清掃時の作業性が良好になる。
【００１２】
前述の態様において、吐水孔の上流側に設けられる通水部と、通水部内に洗浄水を吐き出し、吐水孔に供給される第１内部主流を形成する第１吐出部と、通水部内に洗浄水を吐き出し、吐水孔に供給される第２内部主流を形成する第２吐出部と、を備え、吐水孔に供給される第１内部主流及び第２内部主流により第１主流及び第２主流が形成されてもよい。
この態様によれば、各内部主流が吐水孔に供給されるときの水勢、流れ方向、流量等の調整により、第１主流、第２主流の水勢、流れ方向、流量等を様々に調整できる。
【００１３】
前述の態様において、吐水孔に第１内部主流が先に供給されることにより、第２主流より第１主流の流量が多くなるように第１主流及び第２主流が形成され、その後に吐水孔に第１内部主流及び第２内部主流が供給されることにより、第１主流より第２主流の流量が多くなるように第１主流及び第２主流が形成されてもよい。
この態様によれば、吐水孔に第１内部主流が供給されている状態では、吐水孔から吐き出される洗浄水の多くを第１主流に用い、鉢面部内の汚物を溜水部内に洗い落とし易くなる。また、鉢面部内の広い範囲の汚物を第１主流により洗い落とした後は、多くの洗浄水を第１主流に用いても、汚物の排出能力が向上し難く洗浄水が無駄になり易い。この点、吐水孔に第１内部主流、第２内部主流が供給されている状態では、汚物の排出能力の向上に寄与し難い第１主流の流量を減らし、排出能力の向上に寄与する第２主流の流量を多くでき、洗浄水の無駄を抑えつつ汚物の排出能力を高められる。
【００１４】
前述の態様において、通水部は、第１内部主流又は第２内部主流の何れか一方が衝突し、その衝突した内部主流を吐水孔に導く導水部を有してもよい。
この態様によれば、第１内部主流又は第２内部主流の一方は導水部に衝突して水勢を弱めてから吐水孔に導かれるため、第１内部主流又は第２内部主流の他方と合流するときに生じる飛沫を低減できる。
【００１５】
前述の態様において、吐水孔は便鉢内と通水部内を隔てる壁部に形成され、導水部は、壁部により一部が形成されてもよい。
この態様によれば、吐水孔は導水部の近傍に設けられることになる。よって、導水部に衝突した内部主流は導水部の近傍にある吐水孔から早期に吐き出され、通水部内の他の箇所に流出し難くなり、吐水孔からは大流量の内部主流を吐き出し易くなる。この結果、通水部に供給した多くの洗浄水を無駄にせずに大流量の主流を便鉢内に形成でき、便鉢内の洗浄力を高められる。
【００１６】
前述の態様において、第１内部主流及び第２内部主流は通水部内で合流した後に吐水孔から吐き出されてもよい。
この態様によれば、各内部主流を便鉢内で合流させるよりも、各内部主流が合流したときに生じる飛沫の飛散範囲を制限でき、便鉢内から外側への飛沫の飛散を防止できる。
【００１７】
前述の態様において、通水部の内壁面には、吐水孔に向かうにつれて通水部の高さ寸法を狭めるように傾斜する誘導面が形成されてもよい。
この態様によれば、吐水孔に向けて供給される内部主流の一部が誘導面に当たると、その水流は誘導面に沿って吐水孔に誘導されることで整流される。この結果、吐水孔の直前での水流の乱れを抑えられ、吐水孔からの飛沫の飛散を抑えられる。
【発明の効果】
【００１８】
本発明によれば、鉢面部内を旋回する第１主流により鉢面部内を洗浄しつつ、汚物の排出能力を高められる。
【図面の簡単な説明】
【００１９】
【図１】第１実施形態に係る水洗大便器の側面断面図である。
【図２】第１実施形態に係る水洗大便器の平面断面図である。
【図３】図２のＡ−Ａ線断面図である。
【図４】第１実施形態に係る水洗大便器の通水部の内部を示す平面断面図である。
【図５】図２のＢ−Ｂ線断面図である。
【図６】第１実施形態に係る水洗大便器の通水部内での各内部主流の流れ方を示す図である。
【図７】第１実施形態に係る水洗大便器の通水部内での各内部主流の流れ方を示す他の図である。
【図８】第１実施形態に係る水洗大便器の便鉢内での主流の流れ方を示す平面断面図である。
【図９】第１実施形態に係る水洗大便器の便鉢内での主流の流れ方を示す側面断面図である。
【図１０】第１実施形態に係る水洗大便器の便鉢内での主流の流れ方を示す他の平面断面図である。
【図１１】第１実施形態に係る分配器の内部構造の一部を示す部分断面側面図である。
【図１２】図１１（ａ）は第１実施形態に係る通水部の吐水孔周りを示す側面断面図であり、図１１（ｂ）は第２実施形態に係る通水部の吐水孔周りを示す側面断面図である。
【図１３】第３実施形態に係る水洗大便器を示す平面図である。
【発明を実施するための形態】
【００２０】
以下、各実施形態では、同一の構成要素に同一の符号を付し、重複する説明を省略する。また、各図面では、説明の便宜のため、構成要素の一部を適宜省略する。
【００２１】
［第１の実施の形態］
図１は第１実施形態に係る水洗大便器１０の側面断面図である。以下の説明では、水洗大便器１０の便座（図示せず）に通常の姿勢で座る人の向きを基準として前後左右を表す。水洗大便器１０は、便器本体１２の前部に設けられる便鉢１４を備える。便鉢１４は、上側に開放する鉢面部１６と、鉢面部１６の下縁部から下方に窪んで形成される溜水部１８とを有する。
【００２２】
図２は水洗大便器１０の平面断面図である。
鉢面部１６は、平面視にて左右寸法より前後寸法の大きい楕円状に形成される。溜水部１８は、平面視にて便鉢１４の左右方向の略中央位置であって、前後方向の中央部分より後方寄りの位置に配置される。
【００２３】
鉢面部１６は、図１に示すように、汚物を受けるための受け面部２２と、受け面部２２の上縁部から略鉛直に立ち上がる立面部２４と、を有する。受け面部２２と立面部２４は環状に連続し、受け面部２２は鉢面部１６の中央側に向けて下り勾配で傾斜する。溜水部１８は、底部２６と、鉢面部１６の下縁部と底部２６を接続する立壁部２８と、を有する。底部２６の後方領域には便鉢１４内の汚物を排出するための排水路３０の入口３２が形成される。立壁部２８は鉢面部１６の下縁部から垂下するとともに環状に連続して設けられる。立壁部２８は、水平面に対する勾配が受け面部２２より大きくなる。
【００２４】
立壁部２８は、図２に示すように、左右一方寄りの前側、つまり、右前側に設けられる右前壁部３４（第１壁部）と、左右他方寄りの前側、つまり、左前側に設けられる左前壁部３６（第２壁部）とを含む。右前壁部３４と左前壁部３６は各々の前端部が接続され、その接続部は外向きに凸状に湾曲する。また、右前壁部３４及び左前壁部３６は、底部２６に対して、外向きに凸状に湾曲する角部２７を介して接続される。
【００２５】
排水路３０は、図１に示すように、入口３２を通して溜水部１８内に連通される。排水路３０は、上流側に設けられるトラップ部３８と、下流側に設けられる接続配管４０とを有する。トラップ部３８の一部には洗浄水が溜まり、通水方向での空気の流れが洗浄水により遮断される。このとき、溜水部１８内には洗浄水が溜水４２として貯溜される。接続配管４０は、トラップ部３８の下流端部に設けられる排出口４４と、便器本体１２が設置される床面４６に開口する排水管の流入口（図示せず）とを連通する。接続配管４０には排出口４４の下側に絞り部４８が形成される。排水路３０を通して洗浄水が排出されるとき、排水路３０内では洗浄水が絞り部４８と衝突等して水膜が形成され、水膜によりサイホン作用の発生が促進される。
【００２６】
図３は図２のＡ−Ａ線断面図である。
鉢面部１６の後部には、図２、図３に示すように、吐水孔５０が形成される。吐水孔５０は、溜水部１８より後方であって、便鉢１４の前方から見て左右方向の中心位置より左寄りの位置に形成される。また、吐水孔５０は立面部２４の高さ方向の途中位置に形成される。吐水孔５０は左右方向に長い長孔である。吐水孔５０からは洗浄水が吐き出され、後述するように、鉢面部１６の右側領域に向かう第１主流Ｆ１と、溜水部１８に向かう第２主流Ｆ２とが形成される。
【００２７】
便器本体１２の上面部には、図１に示すように、後述する通水部７６の後方に収納部５２が形成される。収納部５２は便器本体１２の上面部にて窪んで形成される。収納部５２上には洗浄水を貯留する貯水タンク５６が取り付けられる。収納部５２内には貯水タンク５６から供給される洗浄水を分配する分配器５８の一部が配置される。
【００２８】
分配器５８は、図２に示すように、貯水タンク５６から洗浄水が流入する流入部６０と、流入部６０の下流端部から左右方向の外向きに分岐して設けられる左側分岐部６２（第１分岐部）及び右側分岐部６４（第２分岐部）とを有する。
【００２９】
流入部６０は上下方向に延在する管体であり、その上端部が貯水タンク５６の排水口（図示せず）に接続される。左側分岐部６２及び右側分岐部６４は可撓性及び伸縮性を有する蛇腹状の管体であり、収納部５２に形成される挿通孔６６に挿通される。分配器５８には、流入部６０と各分岐部６２、６４との根元部の前方に接続口６８が設けられ、その接続口６８には右側吐出部７０（第１吐出部）が接続される。右側吐出部７０は硬質な管体であり、収納部５２の挿通孔６６に挿通される。左側分岐部６２の下流端部には左側吐出部７２（第２吐出部）が接続される。左側吐出部７２は管体であり、可撓性及び伸縮性を有する蛇腹状に一部が構成される。右側分岐部６４の下流端部７４は閉塞される。
【００３０】
図４は便器本体１２に設けられる中空構造の通水部７６の内部を示す平面断面図である。
便器本体１２には、便鉢１４の後方に通水部７６が設けられる。通水部７６は吐水孔５０の上流側に設けられる。通水部７６は、便鉢１４の鉢面部１６の一部であって、便鉢１４内と通水部７６内とを隔てる前壁部７８を有する。
【００３１】
通水部７６は、前後方向の中間位置で左右方向の内寸法を狭めるとともに、その中間位置から前後方向の両側に向かうにつれて内寸法を広げる形状に形成される段差部８０を有する。通水部７６の下壁面８２は、段差部８０を境界として左右方向内側の方が外側より低位置となるように高低差が設けられる。通水部７６の左右方向の内寸法が狭くなる部位には孔壁部８４が設けられ、孔壁部８４内には上下に貫通する取付孔８６が形成される。取付孔８６には、便器本体１２に便座を取り付けるためのねじ等の固定具（図示せず）が挿通される。
【００３２】
通水部７６の下壁面８２には、勾配を有する案内領域８３が設けられる。案内領域８３は、本例では、下壁面８２の全域に亘り設けられる。案内領域８３の勾配は、前壁部７８と下壁面８２との間の隅角部８５の左右方向中心位置（図４の領域Ｂ１）まで、案内領域８３上の洗浄水を案内可能に設けられる。本図では案内領域８３の勾配を矢印で示す。
【００３３】
通水部７６には、鉢面部１６寄りの位置に導水部８８が設けられる。導水部８８は、前壁部７８と段差部８０との一部により前後に挾まれて形成される。導水部８８は、便鉢１４の前方から見て左右方向の中心位置より左寄りの位置に形成される吐水孔５０よりも、更に左側にずれた位置に設けられる。導水部８８は通水部７６内で左右方向の外側に袋小路となるように形成される。
【００３４】
図５は図２のＢ−Ｂ線断面の一部を示す図である。
右側吐出部７０の先端部には、図２、図５に示すように、右側吐出口９０（第１吐出口）が形成される。右側吐出口９０は、右側吐出部７０の先端部から右向きであって斜め前側に向けて開放する。右側吐出口９０からは吐水孔５０に向けて洗浄水が吐き出されて第１内部主流Ｆ３が形成される。左側吐出部７２の先端部には、左側吐出口９２（第２吐出口）が形成される。左側吐出口９２は、左側吐出部７２の先端部から左右方向の一方である右向きであって、斜め下側に向けて開放する。左側吐出口９２からは導水部８８の後側内壁面８８ａに向けて洗浄水が吐き出されて第２内部主流Ｆ４が形成される。本図では各内部主流Ｆ３、Ｆ４の流れ方向に符号を付して示す。
【００３５】
次に、以上の水洗大便器１０を用いた便鉢１４の洗浄方法とともに、洗浄水の流れ方を説明する。図１に示すように、貯水タンク５６内の洗浄水を排水して便器洗浄を行うと、分配器５８に洗浄水が供給される。図２に示すように、分配器５８には流入部６０に洗浄水が流入し、流入した洗浄水は右側吐出部７０と左側吐出部７２に分配され、各吐出部７０、７２の吐出口９０、９２から洗浄水が吐き出される。
【００３６】
図６は通水部７６内での各内部主流Ｆ３、Ｆ４の流れ方を示す図である。本図では第１内部主流Ｆ３の流れる主な範囲に符号を付し、第２内部主流Ｆ４の流れ方向を示す矢印に符号を付して示す。
第１内部主流Ｆ３は右側吐出口９０から吐水孔５０に向けて流れ、吐水孔５０に供給される。この流れ方向は吐水孔５０を通った後に鉢面部１６の右側領域１６ａに向かう方向となる。第１内部主流Ｆ３は、前壁部７８の吐水孔５０周りの部位に当たって分散しつつ、その大半が勢いよく吐水孔５０から吐き出される。
【００３７】
第１内部主流Ｆ３の形成に寄与する洗浄水は、分配器５８内で第２内部主流Ｆ４の形成に寄与する洗浄水と分かれてから吐水孔５０に供給される。各内部主流Ｆ３、Ｆ４の形成に寄与する洗浄水が分配器５８で分かれてから吐水孔５０に供給されるまでに通る経路の長さを経路長とすると、第１内部主流Ｆ３の形成に寄与する洗浄水の経路長は、第２内部主流Ｆ４の形成に寄与する洗浄水の経路長より短くなるように調整される。これにより、第１内部主流Ｆ３は第２内部主流Ｆ４より吐水孔５０に先に供給され、その第１内部主流Ｆ３が吐水孔５０から吐き出されることにより、左右方向に横長な第１吐水流Ｆａが形成される。以下、この状態を第１状態という。
【００３８】
第１吐水流Ｆａは溜水部１８の上方を一部が通るとともに、鉢面部１６の右側領域１６ａ上を残部が通るように吐水孔５０から吐き出される。第１吐水流Ｆａの一部は溜水部１８の上方を通るときに分流されて第１主流Ｆ１を形成し、残部が第２主流Ｆ２を形成する。第１状態にあるとき、第２主流Ｆ２より第１主流Ｆ１の流量が多くなる。
【００３９】
第２内部主流Ｆ４は左側吐出口９２から導水部８８の後側内壁面８８ａに向けて流れ、後側内壁面８８ａと衝突し、導水部８８の左右方向の外側（図６中左側）に送り込まれる。このとき、第２内部主流Ｆ４は、左側吐出口９２から導水部８８の後側内壁面８８ａを通るまでの間、平面視にて第１内部主流Ｆ３と交差する領域Ａ１を通る。この第１内部主流Ｆ３と第２内部主流Ｆ４との衝突を避けるため、これらは領域Ａ１にて高さ方向にずれた位置を通る（図５も参照）。
【００４０】
図７は通水部７６内での各内部主流Ｆ３、Ｆ４の流れ方を示す他の図である。
第２内部主流Ｆ４が流れ続けると、導水部８８内の洗浄水が吐水孔５０に近づく方向（図７中右側）に向けて押し出されるように導かれる。また、導水部８８内の洗浄水は導水部８８の下壁面８２の勾配により吐水孔５０に近づく側に導かれる。これらが相まって、吐水孔５０には左右方向の一方である左側に向かう速度ベクトルをもつ第２内部主流Ｆ４が供給される。
【００４１】
この吐水孔５０には右側吐出口９０から左右方向の他方である右側に向かう速度ベクトルをもつ第１内部主流Ｆ３が供給される。吐水孔５０内や直近の通水部７６内を含む領域Ａ２では、左右方向の速度ベクトルが異なる第１内部主流Ｆ３、第２内部主流Ｆ４が合流する。合流した水流が吐水孔５０から便鉢１４内に吐き出されることにより、第２吐水流Ｆｂが形成される。以下、この状態を第２状態という。
【００４２】
第２状態にあるとき、第２内部主流Ｆ４は、導水部８８と衝突していることから、第１内部主流Ｆ３より水勢が弱くなっている。よって、第２内部主流Ｆ４の流れ方向は、第１内部主流Ｆ３との合流により、第１内部主流Ｆ３の流れ方向に近づくように大きく変換され、第２内部主流Ｆ４の多くは吐水孔５０から溜水部１８に向けて流れるようになる。この結果、第２吐水流Ｆｂは、第１吐水流Ｆａよりも溜水部１８に向かう流量が多くなり、第２吐水流Ｆｂにより形成される第１主流Ｆ１より第２主流Ｆ２の流量が多くなる。このとき、第１主流Ｆ１の形成には第１内部主流Ｆ３が主に寄与し、第２主流Ｆ２の形成には第２内部主流Ｆ４が主に寄与する。
【００４３】
図８は便鉢１４内での各主流Ｆ１、Ｆ２の流れ方を示す平面断面図である。本図では溜水部１８に第２主流Ｆ２が流入し始める初期段階を示す。
第１主流Ｆ１は、吐水孔５０から鉢面部１６の右側領域１６ａ、前側領域１６ｂ、左側領域１６ｃを順に経由して後側領域１６ｄに至るように、平面視にて鉢面部１６内で反時計方向に旋回する。本図では第１主流Ｆ１が鉢面部１６の前側領域１６ｂまで到達した状態を示す。第１主流Ｆ１は、鉢面部１６の受け面部２２の上縁部や立面部２４に沿って流れる。
【００４４】
第２主流Ｆ２は、吐水孔５０から溜水部１８に向けて流れる。第２主流Ｆ２は、鉢面部１６内から溜水部１８内に落ち込むように流入する。第２主流Ｆ２は、溜水部１８の内周面の横側領域に沿って流入する。ここでいう「溜水部１８の内周面に沿って流入する」とは、第２主流Ｆ２が溜水部１８内に流入した直後において、流れ方向横側に位置する溜水部１８の内周面１８ａを通る接線に沿うように流入することをいう。
【００４５】
図９は便鉢１４内での各主流Ｆ１、Ｆ２の流れ方を示す側面断面図である。
溜水部１８に流入した第２主流Ｆ２は、溜水部１８の右前壁部３４と当たることで溜水部１８の左前壁部３６に向けて流れ方向を変えつつ流れた後に左前壁部３６と衝突する。左前壁部３６と衝突する主流Ｆ２は、溜水部１８の底部２６と左前壁部３６を接続する湾曲する角部２７により押し上げられるように上昇する。また、左前壁部３６と衝突する主流Ｆ２は、溜水部１８の左前壁部３６と当たることで溜水部１８の後側領域に向けて流れ方向が変換される。これらにより、左前壁部３６と衝突する主流Ｆ２は、溜水部１８内で上昇しつつ、水流の流れ方向が排水路３０の入口３２に向けて変換され、排水路３０の入口３２に上から下に向かう誘導流Ｆ２ｂが第２主流Ｆ２の一部として形成される。
【００４６】
図１０は便鉢１４内での各主流Ｆ１、Ｆ２の流れ方を示す他の平面断面図である。本図では初期段階より時間が経過した後の途中段階を示す。
第１主流Ｆ１は、鉢面部１６内での旋回途中に前側領域１６ｂにて第１分流Ｆ１ａと第２分流Ｆ１ｂを形成する。第１分流Ｆ１ａは、鉢面部１６の左側領域１６ｃを経由して後側領域１６ｄまで流れるように更に旋回してから、鉢面部１６内で第２主流Ｆ２と合流する（範囲Ａ４参照）。第１分流Ｆ１ａは、第２主流Ｆ２と合流するとき、第２主流Ｆ２と同様に溜水部１８内に向かう速度ベクトルをもち、鉢面部１６内の第２主流Ｆ２の水勢を増幅させる。第２主流Ｆ２は、水勢を増幅させた状態で溜水部１８内に流入し、初期状態より水勢の強い誘導流Ｆ２ｂを形成する。第２分流Ｆ１ｂは鉢面部１６の左寄りの前側領域１６ｂから溜水部１８内の排水路３０の入口３２に向けて流入し、溜水部１８内の第２主流Ｆ２である誘導流Ｆ２ｂと合流する（範囲Ａ５参照）。第２分流Ｆ１ｂは、誘導流Ｆ２ｂと同様に排水路３０の入口３２に向かう速度ベクトルをもち、溜水部１８内の誘導流Ｆ２ｂの水勢を増幅させる。
【００４７】
ここで、初期段階（図８の段階）にあるとき、溜水部１８内の汚物は誘導流Ｆ２ｂにより排水路３０内に勢いよく押し流され、排水路３０を通して外部の排水管に排出される。初期状態にあるとき、通水部７６内での水流の状態は、第１状態（図６の状態）となってから第２状態（図７の状態）に変わる。よって、初期状態にあるとき、まずは第１状態となることで第１主流Ｆ１及び第２主流Ｆ２全体の流量は比較的に少なくなり、この後に第２状態となることで第１主流Ｆ１及び第２主流Ｆ２全体の流量は第１状態より多くなる。また、初期状態にあるとき、まずは第１状態になることで第１主流Ｆ１の方が第２主流Ｆ２より流量が多くなり、この後に第２状態となることで第２主流Ｆ２の方が第１主流Ｆ１より流量が多くなる。
【００４８】
この後、便鉢１４内での水流の状態は途中段階（図１０の段階）に変わる。途中段階にあるときも初期段階にあるときと同様に汚物は誘導流Ｆ２ｂにより排水路３０内に押し流されるが、途中段階にあるときは誘導流Ｆ２ｂの水勢が初期段階より大きく増幅され、初期段階より勢いよく押し流される。
【００４９】
以上の通り、本実施形態に係る水洗大便器１０では、吐水孔５０から溜水部１８に向けて吐き出される洗浄水により第２主流Ｆ２が形成されるため、溜水部１８以外に向けて洗浄水が吐き出されるよりも、強い水勢の第２主流Ｆ２が溜水部１８内に流入できる。また、第１主流Ｆ１と第２主流Ｆ２との合流するにより第２主流Ｆ２の水勢を増幅させるため、更に水勢の強い第２主流が流入でき、溜水部１８内の汚物を排水路３０に排出させ易くなる。よって、鉢面部１６を旋回する第１主流Ｆ１により鉢面部１６内を洗浄しつつ、汚物の排出能力を高められる。このとき、溜水に浮遊する浮遊性汚物を特に効果的に排出できる。
【００５０】
また、吐水孔５０から溜水部１８に向けて吐き出される洗浄水により第２主流Ｆ２が形成されるため、溜水部１８内に早期に第２主流Ｆ２が流入できる。この結果、トラップ部３８内に貯められた洗浄水を排出口４４に早期に送り出せ（図１参照）、排水路３０内で洗浄水を絞り部４８と衝突等させて早期に水膜を形成でき、早期にサイホン作用を発生させられる。
【００５１】
また、溜水部１８は、第２主流によって、排水路３０に向かう誘導流Ｆ２ｂを形成するように構成される。よって、溜水部１８内に流入した強い水勢の第２主流Ｆ２により、強い水勢の誘導流Ｆ２ｂを形成でき、その誘導流Ｆ２ｂにより溜水部１８内の汚物を排水路３０に勢いよく押し流せるようになり、汚物の排出能力を更に高められる。
【００５２】
また、第２主流Ｆ２は溜水部１８の内周面に沿って流入するため、溜水部１８の内周面に沿ってスムーズに方向変換し易くなる。かりに、第２主流Ｆ２が溜水部１８の内周面と大きく交差する方向に流入すると、第２主流Ｆ２の流入方向前方に位置する壁面との衝突時の勢いにより鉢面部１６内に第２主流Ｆ２が乗り上げる恐れがある。この点、本実施形態によれば、第２主流Ｆ２の流入方向前方に位置する壁面に第２主流Ｆ２が衝突するときの勢いを水平方向に逃がし易くなり、鉢面部１６内への第２主流Ｆ２の乗り上げを防止できる。また、第２主流Ｆ２の多くを誘導流Ｆ２ｂの形成に利用でき、少ない流量でも水勢の強い誘導流Ｆ２ｂを形成できる。
【００５３】
また、第１主流Ｆ１が形成する第１分流Ｆ１ａは鉢面部１６内を更に旋回してから第２主流Ｆ２と合流して水勢を増幅させ、第１主流Ｆ１が形成する第２分流Ｆ１ｂは溜水部１８内で第２主流Ｆ２である誘導流Ｆ２ｂと合流して水勢を増幅させる。よって、鉢面部１６内の広い範囲を第１主流Ｆ１により洗浄しつつ、多くの第１主流Ｆ１を無駄にせずに第２主流Ｆ２の水勢を大きく増幅できる。
【００５４】
また、第１主流Ｆ１、第２主流Ｆ２が単一の吐水孔５０から吐き出される。よって、洗浄水を吐き出して第１主流Ｆ１、第２主流Ｆ２を形成するうえで、別々の吐水孔５０を鉢面部１６に設けずともよくなり、鉢面部１６への加工作業が減るうえ、清掃時の作業性が良好になる。また、吐水孔５０を複数ではなく単一にした場合でも、鉢面部１６内を旋回する第１主流Ｆ１や、溜水部１８内に誘導流Ｆ２ｂを形成する第２主流Ｆ２を形成でき、便鉢１４の洗浄力の低下を防止できる利点もある。
【００５５】
また、通水部７６内には別々の第１内部主流Ｆ３、第２内部主流Ｆ４が形成され、各内部主流Ｆ３、Ｆ４により第１主流Ｆ１、第２主流Ｆ２が形成される。よって、単一の吐水孔５０から洗浄水を吐き出して第１主流Ｆ１、第２主流Ｆ２を形成する場合でも、各内部主流Ｆ３、Ｆ４が吐水孔５０に供給されるときの水勢、流れ方向、流量等の調整により、第１主流Ｆ１、第２主流Ｆ２の水勢、流れ方向、流量等を様々に調整できる。各内部主流Ｆ３、Ｆ４の水勢等の因子と各主流Ｆ１、Ｆ２の水勢等の因子との相関関係は、予め実験、解析等により求めておけばよい。これにより、この相関関係に基づいて、各主流Ｆ１、Ｆ２の水勢等について所望の条件を満たすように、各内部主流Ｆ３、Ｆ４の水勢等を調整できる。
【００５６】
また、図６に示す第１状態では第２主流Ｆ２より第１主流Ｆ１の流量が多く、第２状態では第１主流Ｆ１より第２主流Ｆ２の流量が多くなる。よって、第１状態では、吐水孔５０から吐き出される洗浄水の多くを第１主流Ｆ１に用い、鉢面部１６内の汚物を溜水部１８内に洗い落とし易くなる。また、鉢面部１６内の広い範囲の汚物を第１主流Ｆ１により洗い落とした後は、多くの洗浄水を第１主流Ｆ１に用いても、汚物の排出能力が向上し難く洗浄水が無駄になり易い。この点、第２状態では、汚物の排出能力の向上に寄与し難い第１主流Ｆ１の流量を減らしたうえで、排出能力の向上に寄与する第２主流Ｆ２の流量を多くでき、洗浄水の無駄を抑えつつ汚物の排出能力を高められる。
【００５７】
また、別々の第１内部主流Ｆ３、第２内部主流Ｆ４を単一の吐水孔５０に供給するうえでは、吐水孔５０を通る前後で各内部主流Ｆ３、Ｆ４が合流し易くなる。各内部主流Ｆ３、Ｆ４が合流するとき、その衝突により飛沫が生じ易くなり、便鉢１４内から外側に飛沫が飛散する恐れがある。この点、本実施形態によれば、第２内部主流Ｆ４は導水部８８に衝突して水勢を弱めてから吐水孔５０に導かれるため、第１内部主流Ｆ３と合流するときに生じる飛沫を低減でき、便鉢１４内から外側への飛沫の飛散を防止できる。
【００５８】
また、吐水孔５０は前壁部７８に形成され、導水部８８は前壁部７８により一部が形成されるため、吐水孔５０は導水部８８の近傍に設けられることになる。よって、導水部８８に衝突した第２内部主流Ｆ４は導水部８８の近傍にある吐水孔５０から早期に吐き出され、通水部７６内の他の箇所に流出し難くなる。よって、吐水孔５０からは大流量の第２内部主流Ｆ４を吐き出し易くなる。この結果、通水部７６に供給した多くの洗浄水を無駄にせずに大流量の第２主流Ｆ２を便鉢１４内に形成でき、便鉢１４内の洗浄力を高められる。
【００５９】
また、第１内部主流Ｆ３及び第２内部主流Ｆ４が通水部７６内で合流した後に吐水孔５０から吐き出されるため、各内部主流Ｆ３、Ｆ４を便鉢１４内で合流させるよりも、各内部主流Ｆ３、Ｆ４が合流したときに生じる飛沫の飛散範囲を制限できる。よって、便鉢１４内から外側への飛沫の飛散を防止できる。
【００６０】
なお、貯水タンク５６の大きさに応じて分配器５８に供給される洗浄水に働く水圧（以下、供給水圧という）が変化する。この供給水圧が過度に大きいと、便鉢１４内に吐水孔５０から吐き出される洗浄水の水勢が過度に強くなり、便鉢１４内で飛沫が飛散し易くなる。この対策として、本実施形態に係る分配器５８は、以下のように構成される。
【００６１】
図１１は分配器５８の内部構造の一部を示す部分断面側面図である
分配器５８の流入部６０は軸方向に分割した形状の上流側管部６０ａと下流側管部６０ｂを有する。これらは下流側管部６０ｂの上端部内に上流側管部６０ａの下端部が圧入等することにより脱着可能に接続される。上流側管部６０ａの内部には流入部６０の通水方向での流路断面を狭める絞り孔６０ｃが形成される。貯水タンク５６から供給される洗浄水は、絞り孔６０ｃを通ることで供給水圧より減圧されてから、分配器５８の各吐出部７０、７２に供給される。よって、供給水圧が大きい場合でも、吐水孔５０から吐き出される洗浄水の水勢を弱め、便鉢１４内での飛沫の飛散を抑えられる。
【００６２】
なお、複数種の上流側管部６０ａとして、絞り孔６０ｃが大きいもの、小さいもの、絞り孔６０ｃがないもの等を予め準備しておいてもよい。下流側管部６０ｂに接続される上流側管部６０ａを替えれば、各吐出部７０、７２に供給される洗浄水の水圧を段階的に調整可能となる。
【００６３】
［第２の実施の形態］
図１２は通水部７６の吐水孔５０周りを示す側面断面図であり、図１２（ａ）は第１実施形態、図１２（ｂ）は第２実施形態のものを示す。
第１実施形態に係る通水部７６は、図１２（ａ）に示すように、前壁部７８と上壁部９４が角部９６を介して接続され、前壁部７８が角部９６からほぼ鉛直に延在する。この場合、吐水孔５０に向けて供給される第１内部主流Ｆ３の一部が前壁部７８の内壁面に当たることで、吐水孔５０の直前の領域Ａ６で水流が大きく乱れ易くなり、吐水孔５０から飛沫が飛散し易くなる恐れがある。
【００６４】
この対策として、第２実施形態に係る通水部７６の内壁面には、図１２（ｂ）に示すように、吐水孔５０に向かうにつれて通水部７６の高さ寸法を狭めるように傾斜する誘導面９８が形成される。誘導面９８は、通水部７６内にて凹状に湾曲して形成される。誘導面９８は通水部７６の上壁面に形成される。
【００６５】
以上の水洗大便器１０によれば、吐水孔５０に向けて供給される第１内部主流Ｆ３の一部が誘導面９８に当たると、その水流は誘導面９８に沿って吐水孔５０に誘導されることで整流される。この結果、吐水孔５０の直前での水流の乱れを抑えられ、吐水孔５０からの飛沫の飛散を抑えられる。
【００６６】
［第３の実施の形態］
図１３は第３実施形態に係る水洗大便器１０を示す平面図である。
第１実施形態では分配器５８を用いて通水部７６内に洗浄水を吐き出して第１内部主流Ｆ３、第２内部主流Ｆ４を形成し、各内部主流Ｆ３、Ｆ４を吐水孔５０から吐き出して第１主流Ｆ１、第２主流Ｆ２を形成する例を説明した。本実施形態では、通水部７６に貯水タンク５６から吐水孔５０に至る通水路１００が形成される。貯水タンク５６から通水路１００に洗浄水が供給されると、通水路１００内を通して吐水孔５０に洗浄水が供給される。吐水孔５０からは洗浄水が吐き出され、左右方向に横長な吐水流Ｆｃが形成される。
【００６７】
吐水流Ｆｃは溜水部１８の上方を一部が通るとともに、鉢面部１６上を残部が通るように吐き出される。吐水流Ｆｃの一部は溜水部１８の上方を通るときに分流されて第１主流Ｆ１を形成し、残部が第２主流Ｆ２を形成する。第１主流Ｆ１、第２主流Ｆ２は第１実施形態と同様に、初期段階では溜水部１８に第２主流Ｆ２が流入し、途中段階では第１主流Ｆ１が第２主流Ｆ２と合流して第２主流Ｆ２の水勢を増幅させる。本実施形態のように、吐水孔５０から吐き出される洗浄水により第１主流Ｆ１、第２主流Ｆ２を形成するうえでは、分配器５８を用いなくともよい。
【００６８】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６９】
各実施形態では、第１主流Ｆ１、第２主流Ｆ２を形成するため、単一の吐水孔５０から吐き出される洗浄水を用いる例を説明した。これらを一般化すると、水洗大便器１０は、鉢面部１６内に洗浄水を吐き出して第１主流Ｆ１を形成する第１吐水部１０２（図２参照）と、溜水部１８に向けて洗浄水を吐き出して第２主流Ｆ２を形成する第２吐水部１０４とを備え、第１吐水部１０２及び第２吐水部１０４が単一の吐水孔５０により構成される例を説明したことになる。この他にも、第１吐水部１０２と第２吐水部１０４とが鉢面部１６に形成される別々の吐水孔により構成されてもよい。
【００７０】
また、各実施形態に係る水洗大便器１０では、溜水部１８に第２主流Ｆ２が流入し始める初期段階と、第１主流Ｆ１及び第２主流Ｆ２が合流した後の途中段階との何れにおいても、溜水部１８に水勢の異なる誘導流Ｆ２ｂのみが生じる場合を説明した。この他にも、初期段階においては、溜水部１８内に旋回流を主に生じさせ、汚物を旋回流の中心側に集めるようにし、途中段階においては、溜水部１８内に誘導流Ｆ２ｂを主に生じさせ、旋回流の中心側に集められた汚物を誘導流Ｆ２ｂにより排水路３０内に勢いよく押し流すようにしてもよい。この場合でも、吐水孔５０から溜水部１８に向けて吐き出される洗浄水により第２主流Ｆ２が形成されるため、途中段階において、強い水勢の第２主流Ｆ２が溜水部１８内に流入でき、溜水部１８内の汚物を排水路３０に排出させ易くなる。よって、鉢面部１６内を旋回する第１主流Ｆ１により鉢面部１６内を洗浄しつつ、汚物の排出能力を高められる。
【００７１】
溜水部１８は、鉢面部１６内から流入する第２主流Ｆ２によって誘導流Ｆ２ｂを形成するように構成されていればよく、図示の構造には限られない。
【００７２】
各実施形態では、第１主流Ｆ１が第１分流Ｆ１ａと第２分流Ｆ１ｂを形成し、第１分流Ｆ１ａが鉢面部１６内で第２主流Ｆ２と合流し、第２分流Ｆ１ｂが溜水部１８内の第２主流である誘導流Ｆ２ｂと合流し、これらにより、誘導流Ｆ２ｂの水勢を増幅させる例を説明した。本発明に係る水洗大便器１０では、第２主流Ｆ２により溜水部１８内で誘導流Ｆ２ｂが生じた後、第１主流Ｆ１が第２主流と合流して誘導流Ｆ２ｂの水勢を増幅させればよく、第１分流Ｆ１ａ、第２分流Ｆ１ｂを形成しなくともよい。たとえば、第１主流Ｆ１が第１分流Ｆ１ａを形成せずに、図９で第２分流Ｆ１ｂが通る部分のみを第１主流Ｆ１が通るように洗浄水の吐出量を調整してもよい。
【００７３】
各実施形態では、第２内部主流Ｆ４が導水部８８の後側内壁面８８ａに衝突したが、その衝突位置は通水部７６の内壁面であれば特に限られない。また、第２内部主流Ｆ４のみでなく、第１内部主流Ｆ３が通水部７６の内壁面に衝突してもよいし、第１内部主流Ｆ３及び第２内部主流Ｆ４の両方が衝突してもよい。また、導水部８８は、第１内部主流Ｆ３、第２内部主流Ｆ４の何れか一方が衝突し、その衝突した内部水流を吐水孔５０に導ければよく、図示の構造には限られない。
【００７４】
また、図５、図６の例では、領域Ａ１にて第１内部主流Ｆ３が上側、第２内部主流Ｆ４が下側を通ったが、第１内部主流Ｆ３が下側、第２内部主流Ｆ４が上側を通ってもよい。また、図２では、分配器５８が第１吐出部７０、第２吐出部７２を有し、二股に分岐する例を説明したが、右側分岐部６４の下流端部に管体である第３吐出部を接続し、三股に分岐してもよい。また、第１吐出部〜第３吐出部の何れか一つのみを有してもよい。
【００７５】
また、鉢面部１６の形状は特に限られず、便鉢１４の上縁部にて内周側に突き出るひさし部が設けられてもよい。また、洗浄水の供給は、貯水タンク５６を用いずに、上水道から直接に供給されてもよいし、フラッシュバルブを通して供給されてもよい。
【符号の説明】
【００７６】
Ｆ１…第１主流、Ｆ１ａ…第１分流、Ｆ１ｂ…第２分流、Ｆ２…第２主流、Ｆ２ｂ…誘導流、Ｆ３…第１内部主流、Ｆ４…第２内部主流、１０…水洗大便器、１４…便鉢、１６…鉢面部、１８…溜水部、３０…排水路、３２…入口、５０…吐水孔、７０…第１吐出部、７２…第２吐出部、７６…通水部、８８…導水部、９８…誘導面。
【図１】
0006448985.tif 000002
【図２】
0006448985.tif 000003
【図３】
0006448985.tif 000004
【図４】
0006448985.tif 000005
【図５】
0006448985.tif 000006
【図６】
0006448985.tif 000007
【図７】
0006448985.tif 000008
【図８】
0006448985.tif 000009
【図９】
0006448985.tif 000010
【図１０】
0006448985.tif 000011
【図１１】
0006448985.tif 000012
【図１２】
0006448985.tif 000013
【図１３】
0006448985.tif 000014